(57)【要約】【課題】  ガラス板の取付時のガラス板自体の移動量をゼロ又は極めて少なくすることができ、着脱等の取り付け作業性に優れた薄型ディスプレイ用のガラス板の取付構造を提供する。【解決手段】  方形フレームに前後方向に位置調整可能に上方開口下向溝を有するフレーム側溝部材を設け、ガラス板の表示画面に対向する後面側において、磁性体ロック片の保持溝と、該保持溝に連通した下向開口部を有するロック片保持部を設け、上記ロック片保持部の上記下向開口部と上記フレーム側溝部材の上方開口下向溝とが一致するように、上記ガラス板を上記方形フレーム前面に位置させ、上記ガラス板の前面側からマグネットを移動させることにより、上記磁性体ロック片を上記ロック片保持溝から上記下向開口部を介して上記上方開口下向溝内に移動させ、上記ロック片の下半部が上記上方開口下向溝に係合することにより、上記ガラス板を上記方形フレームに固定するように構成した。【選択図】  図１
2011070181.tif 000002
【特許請求の範囲】
【請求項１】
薄型ディスプレイユニットを支持する方形フレームの前面側に、少なくともディスプレイユニットの表示画面に対応する領域がハーフミラーとなったガラス板を取り付けるための薄型ディスプレイ用のガラス板取付構造であって、
上記方形フレームに前後方向に位置調整可能に上方開口下向溝を有するフレーム側溝部材を設け、
上記ガラス板の上記薄型ディスプレイユニットの表示画面に対向する後面側において、磁性体ロック片の保持溝と、該保持溝に連通した下向開口部を有するロック片保持部を設け、
上記ロック片保持部の上記下向開口部と上記フレーム側溝部材の上記上方開口下向溝とが一致するように、上記ガラス板を上記方形フレーム前面に位置させた状態において、
上記ガラス板の前面側からマグネットを移動させることにより、上記磁性体ロック片を上記ロック片の保持溝から上記下向開口部を介して上記上方開口下向溝内に移動可能に構成し、
上記ロック片が上記上方開口下向溝内に挿入された状態において、上記ロック片の下半部が上記上方開口下向溝に係合することにより、上記ガラス板を上記方形フレームに固定するものであることを特徴とする薄型ディスプレイ用のガラス板取付構造。
【請求項２】
上記方形フレームの上部左右対称位置に上記フレーム側溝部材を設けると共に、上記方形フレームの下部左右対称位置に前後方向に位置調整可能なフックを設け、
上記ガラス板の後面上部の左右対称位置に上記フレーム側溝部材に対応した上記ロック片保持部を設けると共に、該ガラス板の後面下部の左右対称位置に上記フックが係合し得る上向溝を具備した下部溝部材を設け、
上記ガラス板の上記後面側を上記方形フレームの前面に宛がい、該ガラス板を下方にスライドさせた状態において上記下部溝部材に上記方形フレームの上記フックが各々係合し得ると共に、上記ロック片保持部の上記下向開口部と上記フレーム側溝部材の上記上方開口下向溝とが一致するように構成し、
かかる状態において、上記ガラス板の前面側からマグネットを移動させることにより、上記上部左右対称位置にある上記フレーム側溝部材の上記上方開口下向溝内に上記ロック片を各々挿入係合させることにより、上記ガラス板を上記方形フレームに固定するものであることを特徴とする請求項１記載の薄型ディスプレイ用のガラス板取付構造。
【請求項３】
上記方形フレームの上部左右対称位置に上記フレーム側溝部材を設けると共に、上記方形フレームの下部左右対称位置に上記フレーム側溝部材を設け、
上記ガラス板の後面上部の左右対称位置に上記フレーム側溝部材に対応した上記ロック片保持部を設けると共に、該ガラス板の後面下部の左右対称位置に上記フレーム側溝部材に対応した上記ロック片保持部を設け、
上記ガラス板の上記後面側を上記方形フレームの前面に、上記各ロック片保持部の下向開口部と上記フレーム側溝部材の上方開口下向溝とが一致するように宛がった状態において、
上記ガラス板の前面側からマグネットを移動させることにより、上記上部及び下部の左右対称位置にある上記フレーム側溝部材の上記上方開口下向溝内に上記ロック片を各々挿入係合させることにより、上記ガラス板を上記方形フレームに固定するものであることを特徴とする請求項１記載の薄型ディスプレイ用のガラス板取付構造。
【請求項４】
薄型ディスプレイを支持する方形フレームの前面側に、少なくともディスプレイユニットの表示画面に対応する領域がハーフミラーとなったガラス板を取り付けるための薄型ディスプレイ用のガラス板取付方法であって、
上記方形フレームに前後方向に位置調整可能に上向開口下向溝を有するフレーム側溝部材を設け、
上記ガラス板の上記薄型ディスプレイユニットの表示画面に対向する後面側において、磁性体ロック片の保持溝と、該保持溝に連通した下向開口部を有するロック片保持部を設け、
上記ロック片保持部の上記下向開口部と上記フレーム側溝部材の上記上方開口下向溝とが一致するように、上記ガラス板を上記方形フレーム前面に位置させ、
上記ガラス板の前面側からマグネットを移動させることにより、上記磁性体ロック片を上記ロック片の保持溝から上記下向開口部を介して上記上方開口下向溝内に移動し、
上記ロック片が上記上方開口下向溝内に挿入されたとき、上記ロック片の下半部が上記上方開口下向溝に係合することにより、上記ガラス板を上記方形フレームに固定するようにした薄型ディスプレイ用のガラス板取付方法。
【発明の詳細な説明】
【技術分野】
【０００１】
本発明は、液晶テレビ等の薄型ディスプレイの前面側に設置されるガラス板の取り付けに関するものであり、デザイン性、取り付け作業性等に優れたガラス板の取付構造及び取付方法を提供するものである。
【背景技術】
【０００２】
従来、薄型ディスプレイを壁面に設置し、そのディスプレイ前面側に該ディスプレイに対応した部分だけがハーフミラーとなった鏡を設置することで、通常は鏡として機能させると共に、ディスプレイに映像を表示した場合は、ハーフミラーの前面側から上記映像を確認し得るように構成したディスプレイ装置が実用化されている。
【０００３】
かかる装置において、鏡の取り付けは、鏡の上下の辺を壁面に設けた上下の支持レールに嵌合させて固定するもの（特許文献１，２）、或いは鏡の左右の辺、或は４隅部分を壁面に設けた左右の支持レール或は４隅の支持部材に嵌合させて固定するもの（特許文献２）等が提案されている。
【先行技術文献】
【特許文献】
【０００４】
【特許文献１】特開２００６−８６６４３
【特許文献２】特開２００５−２６０５４５
【発明の概要】
【発明が解決しようとする課題】
【０００５】
ところで、上記ディスプレイ装置では、鏡の前面側に何ら取り付け部材が露出しないようなデザインが望まれるが、上記特許文献１，２のものは、鏡の上下辺、左右辺等を支持レールにて支持する構造であるから、鏡の支持部材（支持フレーム等）が鏡の前面側に露出するため、装置としてのデザイン性に課題がある。
【０００６】
また、薄型ディスプレイ装置に限らず一般的なガラス板の取付構造においても、ガラス板の周縁を固定するもの、或いは、ガラス板の板面側から背面側に貫通する取付部材を設け、当該取付部材によって当該ガラス板を壁面等に固定する構造が多く採用されており、何れもガラス前面側に取付部材が露出する構造であるから、薄型ディスプレイ用のガラス板としては上記特許文献１，２等と同様の課題がある。
【０００７】
また上記従来の鏡或いはガラス板の取付構造では、取り付けるガラス板の上下辺近傍に取り付け用のフレーム或いはフック部材の設置スペースが必要となるため、上記ガラス板の上下辺部に殆どスペースが存在しない場合、例えば取付位置に、取り付けるガラス板と略同じ開口面積しか存在しない場合等は、当該ガラス板を取り付けることが困難になるという課題があった。
【０００８】
また、薄型ディスプレイ装置の前面側に設置する場合、ディスプレイ装置のメンテナンス性を考慮すると、デザイン性のみならず、鏡（ガラス板）の着脱の容易性も必要となる。
【０００９】
本発明は上記従来の課題に鑑みてなされたものであり、ガラス板の前面側に何ら取付部材やフレームが露出せずデザイン性に優れていると共に、取付時のガラス板自体の移動量をゼロ、或いは、極めて少量とすることができ、かつ着脱等の取り付け作業性に優れた薄型ディスプレイ用のガラス板の取付構造及び取付方法を提供することを目的とする。
【課題を解決するための手段】
【００１０】
上記の目的を達成するため本発明は、
第１に、薄型ディスプレイユニットを支持する方形フレームの前面側に、少なくともディスプレイユニットの表示画面に対応する領域がハーフミラーとなったガラス板を取り付けるための薄型ディスプレイ用のガラス板取付構造であって、上記方形フレームに前後方向に位置調整可能に上方開口下向溝を有するフレーム側溝部材を設け、上記ガラス板の上記薄型ディスプレイユニットの表示画面に対向する後面側において、磁性体ロック片の保持溝と、該保持溝に連通した下向開口部を有するロック片保持部を設け、上記ロック片保持部の上記下向開口部と上記フレーム側溝部材の上記上方開口下向溝とが一致するように、上記ガラス板を上記方形フレーム前面に位置させた状態において、上記ガラス板の前面側からマグネットを移動させることにより、上記磁性体ロック片を上記ロック片の保持溝から上記下向開口部を介して上記上方開口下向溝内に移動可能に構成し、上記ロック片が上記上方開口下向溝内に挿入された状態において、上記ロック片の下半部が上記上方開口下向溝に係合することにより、上記ガラス板を上記方形フレームに固定するものであることを特徴とする薄型ディスプレイ用のガラス板取付構造により構成される。
【００１１】
このように構成すると、方形フレームにガラス板を固定するにあたり、例えばガラス板の上下の移動スペースが非常に狭い場所においても支障なくガラス板を取り付けることができる。
【００１２】
第２に、上記方形フレームの上部左右対称位置に上記フレーム側溝部材を設けると共に、上記方形フレームの下部左右対称位置に前後方向に位置調整可能なフックを設け、上記ガラス板の後面上部の左右対称位置に上記フレーム側溝部材に対応した上記ロック片保持部を設けると共に、該ガラス板の後面下部の左右対称位置に上記フックが係合し得る上向溝を具備した下部溝部材を設け、上記ガラス板の上記後面側を上記方形フレームの前面に宛がい、該ガラス板を下方にスライドさせた状態において上記下部溝部材に上記方形フレームの上記フックが各々係合し得ると共に、上記ロック片保持部の上記下向開口部と上記フレーム側溝部材の上記上方開口下向溝とが一致するように構成し、かかる状態において、上記ガラス板の前面側からマグネットを移動させることにより、上記上部左右対称位置にある上記フレーム側溝部材の上記上方開口下向溝内に上記ロック片を各々挿入係合させることにより、上記ガラス板を上記方形フレームに固定するものであることを特徴とする上記第１記載の薄型ディスプレイ用のガラス板取付構造により構成される。
【００１３】
このように構成すると、方形フレームにガラス板を固定するにあたり、ガラス板の上下方向のスライド量を非常に少なくすることができ、例えばガラス板の上下の移動スペースが非常に狭い場所においても支障なくガラス板を取り付けることができる。
【００１４】
第３に、上記方形フレームの上部左右対称位置に上記フレーム側溝部材を設けると共に、上記方形フレームの下部左右対称位置に上記フレーム側溝部材を設け、上記ガラス板の後面上部の左右対称位置に上記フレーム側溝部材に対応した上記ロック片保持部を設けると共に、該ガラス板の後面下部の左右対称位置に上記フレーム側溝部材に対応した上記ロック片保持部を設け、上記ガラス板の上記後面側を上記方形フレームの前面に、上記各ロック片保持部の下向開口部と上記フレーム側溝部材の上方開口下向溝とが一致するように宛がった状態において、上記ガラス板の前面側からマグネットを移動させることにより、上記上部及び下部の左右対称位置にある上記フレーム側溝部材の上記上方開口下向溝内に上記ロック片を各々挿入係合させることにより、上記ガラス板を上記方形フレームに固定するものであることを特徴とする上記第１記載の薄型ディスプレイ用のガラス板取付構造により構成される。
【００１５】
このように構成すると、方形フレームにガラス板を固定するにあたり、ガラス板の上下方向のスライド量をゼロとすることもでき、例えばガラス板の上下に移動スペースが殆どない場所においても支障なくガラス板を取り付けることができる。
【００１６】
第４に、薄型ディスプレイを支持する方形フレームの前面側に、少なくともディスプレイユニットの表示画面に対応する領域がハーフミラーとなったガラス板を取り付けるための薄型ディスプレイ用のガラス板取付方法であって、上記方形フレームに前後方向に位置調整可能に上向開口下向溝を有するフレーム側溝部材を設け、上記ガラス板の上記薄型ディスプレイユニットの表示画面に対向する後面側において、磁性体ロック片の保持溝と、該保持溝に連通した下向開口部を有するロック片保持部を設け、上記ロック片保持部の上記下向開口部と上記フレーム側溝部材の上記上方開口下向溝とが一致するように、上記ガラス板を上記方形フレーム前面に位置させ、上記ガラス板の前面側からマグネットを移動させることにより、上記磁性体ロック片を上記ロック片の保持溝から上記下向開口部を介して上記上方開口下向溝内に移動し、上記ロック片が上記上方開口下向溝内に挿入されたとき、上記ロック片の下半部が上記上方開口下向溝に係合することにより、上記ガラス板を上記方形フレームに固定するようにした薄型ディスプレイ用のガラス板取付方法により構成される。
【発明の効果】
【００１７】
本発明は上述のように構成したので、方形フレーム等にガラス板を固定するにあたり、例えばガラス板の移動スペースが非常に狭い場所においても支障なくガラス板を取り付けることができる。
【００１８】
また、方形フレームにガラス板を固定するにあたり、ガラス板の上下方向のスライド量をゼロとすることもでき、例えばガラス板の上下に移動スペースが殆どない場所においても支障なくガラス板を取り付けることができる。
【００１９】
また、ガラス板の前面側及び周縁にはガラス板の取付用のフック或いはフレーム等が露出しないので、非常にデザイン性の高い取付構造を実現し得る。
【００２０】
また、ガラス板の取り外しも極めて容易に行うことができ、薄型ディスプレイユニットのメンテナンス性も良好である。
【図面の簡単な説明】
【００２１】
【図１】本発明に係る薄型ディスプレイ用のガラス板の取付構造の分解斜視図である。
【図２】（ａ）は同上構造の正面図、（ｂ）は同上構造の側面断面図である。
【図３】（ａ）は同上構造におけるガラス板を取り付ける前の状態の正面図、（ｂ）はその側面断面図である。
【図４】同上構造のコーナ部の一部分解斜視図である。
【図５】（ａ）は同上構造のガラス板の断面図、（ｂ）は背面図である。
【図６】（ａ）は同上構造を示すロック片取付部近傍のガラス板取り付け前の側面断面図、（ｂ）は同上構想を示すロック片取付部近傍のガラス板取り付け状態の側面断面図である。
【図７】同上構造の下部溝部材近傍の側面断面図である。
【図８】同上構造のロック片取付部近傍のガラス板の一部正面図である。
【図９】同上構造の他の実施形態を示す正面図である。
【図１０】同上他の実施形態に用いられるガラス板の背面図である。
【図１１】同上他の実施形態に用いられるガラス板の一部側面断面図である。
【図１２】（ａ）〜（ｃ）は、同上取付構造を使用した場合のガラス板の移動ストロークを示すための説明図である。
【発明を実施するための形態】
【００２２】
以下、本発明に係る薄型ディスプレイ用のガラス板の取付構造及び取付方法について詳細に説明する。
【００２３】
図１は本発明に係る取付構造を使用した薄型ディスプレイ装置の分解斜視図、図２（ａ）は同上ディスプレイ装置の正面図、同図（ｂ）は同上ディスプレイ装置の側面断面図を示す。尚、以下の説明において、方形フレーム４を中心として、ガラス板６側を前方、方形フレーム４から取付用方形枠１方向を後方といい、左右の方向は、図１においてガラス板６から方形フレーム４側を向いた場合の左右方向を用いることとする。
【００２４】
本発明に係る薄型ディスプレイ装置は、方形枠１の上面２と下面３に方形フレーム４を突っ張り状態で固定し、この方形フレーム４の後面の黒色遮蔽ボード１３に薄型ディスプレイユニット５を固定し、かつ上記薄型ディスプレイユニット５の表示画面の前面側にハーフミラー領域６ａを有するガラス板６を固定することにより構成されている（図１、図２参照）。尚、上記方形枠１はこれ自体をオフィスビルのロビー或いは住宅のリビングルーム内の壁面等に埋め込み固定する。
【００２５】
上記方形フレーム４は、断面略正方形状の直線状アルミフレーム杆を長方形状に組み立て、各コーナ部においてＤブラケットＤ１により上記フレーム枠同士を固定することにより構成されており（図３（ａ）参照）、上記フレーム杆は両端部中央に雌螺子孔４５が形成されると共に（図４参照）、各面の長手方向全体に断面Ｔ字型の縦溝（図示せず）が形成されており、当該縦溝を利用して各コーナ部にＤブラケットＤ１をボルトＢにより固定し得るように構成されている（図３（ａ）参照）。
【００２６】
この方形フレーム４の上辺４ａの左右位置の上記雌螺子孔４５に突っ張り用の高さ調整脚８，８がその円錐形脚部８ａ，８ａを上向きにした状態で雄螺子部８ｂを以って螺合されており（図４）、下辺４ｂの左右位置の上記雌螺子孔４５に下向きに突っ張り用の高さ調整脚８，８がその円錐形脚部８ａ，８ａを下向きにした状態で雄螺子部８ｂを以って螺合されている（図１、図３）。
【００２７】
上記上面２と下面３の設置位置には、上記高さ調整脚８の脚部８ａを嵌合し得る一対の円形凹部９ａ，９ａが左右端部に形成された固定板９が面ファスナー等により各々固定されており（図３（ａ）（ｂ）参照）、上記上下辺側の高さ調整脚８，８の脚部８ａ，８ａを、各々上面２及び下面３の固定板９，９の円形凹部９ａ，９ａに各々嵌合し、上記各高さ調整脚８の雄螺子部８ｂを回転させることにより、上記上辺側の脚部８ａ，８ａを上方に移行させ、同じく下辺側の脚部８ａ，８ａの雄螺子部８ｂを回転させることにより、上記下辺側の脚部８ａ，８ａを下方に移行させ、これにより上記４つの高さ調整脚８の脚部８ａによって上記方形フレーム４を上記上面２と下面３の間に突っ張り状態で垂直に立設固定する（図２、図３参照）。
【００２８】
上記高さ調整脚８は、図４に示すように、雄螺子部８ｂと先端の円形脚部８ａとから構成され、上記雄螺子部８ｂをフレーム４の上辺４ａ部分又は下辺４ｂ部分の雌螺子孔４５に螺合し、雄螺子部８ｂを回転させることにより上下方向の高さ調整を行い、固定ナット８ｃを締め付けることにより当該高さ位置に円形脚部８ａを固定し得るように構成している。
【００２９】
上記方形フレーム４の後面には、薄型ディスプレイユニット５を固定するための黒色遮蔽ボード１３が固定されている。この遮蔽ボード１３は上記方形フレーム４の外周縁により形成される面積と同じ面積を有しており、上記方形フレーム４により構成される後方開口部を遮蔽するものである。上記薄型ディスプレイユニット５は例えば液晶ディスプレイ等の薄型の表示装置であり、上記遮蔽ボード１３の略中央部に４つのフック２０により上記方形フレーム４に平行に垂直状態で固定されている（図３（ａ）（ｂ））。尚、上記ディスプレイユニット５に映像等を表示するための映像表示回路基板は上記遮蔽ボード１３の後面側に取り付けられている。
【００３０】
上記方形フレーム４には、前後方向位置調整可能なフック１５が上記フレーム４の各コーナ部に４個、即ち、上コーナ部の同一水平高さに２個、下コーナ部の同一水平高さに２個、左右対称位置に設けられている（図１、図３参照）。これらのフック１５は図４に示すように上記各コーナ部のＤブラケットＤ１の前面Ｄ１’に設けられた雌螺子孔１５’にその雄螺子部１５ａを螺合することにより固定されている。そして、上記各フック１５は上記方形フレーム４の外周縁より内側位置に設けられており、上記各フック１５が上記方形フレーム４の外周縁から外側には露出しないように構成されている。従って、後述のガラス板６を上記方形フレーム４に固定した場合においても、上記各フック１５はガラス板６のガラス面の周縁より内側位置に存在し、上記各フック１５は、ガラス板６の周縁からも露出しないように構成されている（図２（ａ）（ｂ）参照）。
【００３１】
上記フック（前後方向位置調整可能フック）１５は、上記雄螺子部１５ａと該雄螺子部１５ａの先端に回転自在に設けられた円形フック部１５ｂと、上記雄螺子部１５ａに螺合されたナットＮにより構成されており、上記雄螺子部１５ａを回転させて上記円形フック部１５ｂの前後方向位置を調整し、調整位置にて上記ナットＮを締め付けることにより、当該調整位置にて上記円形フック部１５ｂの前後方向位置を位置決めできるように構成されている。上記円形フック部１５ｂは上記雄螺子部１５ａの先端に抜け止め状態で回動自在に軸着されており、軸着部を含む前向椀状部１５ｃと該椀状部１５ｃ周縁部から垂直方向に延出された鍔部１５ｄとから構成されている（図６（ａ））。
【００３２】
上記４個のフック１５の内、上部側の２個のフック１５，１５には、各々フレーム側溝部材２２，２２が係合されている。このフレーム側溝部材２２，２２は、長方形の所定厚の板状をなし、後面側に上記フック部１５ｂを係合させるための円弧形上向溝２２ａが設けられていると共に、その上面側には円弧形の上方開口下向溝２２ｂが設けられている（図４）。そして、このフレーム側溝部材２２は上記円弧形上向溝２２ａを以って上記フック部１５ｂに係合されている（図６（ａ））。具体的には、当該フレーム側溝部材２２は、上記フック部１５ｂの上記鍔部１５ｄが上記円弧形上向溝２２ａに係合した状態で、上記上方開口下向溝２２ｂを上方に向けた垂直状態で上記フック１５に係合されている（図３（ａ）（ｂ）の状態）。上記フレーム側溝部材２２は、円弧形上向溝２２ａ、上方開口下向溝２２ｂを形成し得る所定の厚さを有しており、当該厚さは後述のロック片保持部２３を上面に載置し得る厚さ、本実施形態では上記ロック片保持部２３と同じ厚さを有している。
【００３３】
上記上部のフック１５，１５は上記フレーム側溝部材２２，２２を係合した状態において、その雄螺子部１５ａを回転させることで前後方向の位置調整を行い、上記溝部材２２の係合状態において、該溝部材２２の前面２２’の位置が上記方形枠１の前面１’の位置と面一状態となるように、その前後方向位置を調整する（図６（ａ）の位置）。このように上記溝部材２２の前面２２’の位置と上記方形枠１の前面１’の位置を面一とすることにより、後述のガラス板６を方形フレーム４に固定したとき、ガラス板６の後面外周（ガラスフレーム１７の後面１７’の外周）と上記方形枠１の前面１’とを全周に亘り密着させることができる（図７，図６（ｂ）の状態）。
【００３４】
上記下部のフック部１５，１５は、その円形フック部１５ｂの前端位置（先端）１５ｄ’が、上記方形枠１の前面１’に一致するように、上記雄螺子部１５ａを回転させてその前後方向位置を調整する（図３（ｂ）、図７参照）。そして、上記下部のフック１５の鍔部１５ｄが後述の下部溝部材１８の上向溝部１８ａに係合し得るように構成されている（図７）。
【００３５】
上記ガラス板６は、上記方形フレーム４の前面側全体を被覆可能な面積（本実施形態では方形フレーム４の外周縁により形成される面積より大きな方形枠１の前面１’の面積と同じ面積、図２（ａ）（ｂ）参照）を有しており、上記方形フレーム４に取り付けた際、上記薄型ディスプレイユニット５の表示画面に対応する部分にハーフミラー領域６ａが形成されている（図１参照）。そして、このガラス板６を上記方形フレーム４に取り付けることにより、前面側から見ると、通常はガラス板６全面が鏡として機能し、上記薄型ディスプレイ５を動作状態としてそのディスプレイ５に映像を写すと、上記ハーフミラー領域６ａを介して上記ガラス板６前面側から上記映像を見ることができるようになっている。
【００３６】
このガラス板６の構成は、例えばその後面側に反射膜を形成してガラス面全体を鏡とし、上記領域６ａのみ上記反射膜に透過性を設けてハーフミラー領域としても良いし、ガラス面全体をハーフミラーとし、上記ガラス板６の後面側において上記ハーフミラー領域６ａ以外の部分に遮光フィルムを貼着することにより、上記ディスプレイユニット５の表示画面に映像を表示していない状態において、上記ガラス板６の前面全体が鏡として機能するように構成しても良い。
【００３７】
上記ガラス板６（例えば厚さ４ｍｍ）の後面には、ガラス板の後面周縁に沿って、上記ガラス板６の外周に沿った長方形枠状のガラスフレーム１７が固着されている（図５参照）。このガラスフレーム１７はアルミニウム製であり、両端に傾斜接続部Ｊを有する上下辺用のフレーム杆１７ａ，１７ｂと、両端に傾斜接続部Ｊを有する左右辺用のフレーム枠１７ｃ，１７ｄとを各接続部Ｊを以って長方形状に接続した構造を有している。このガラスフレーム１７はその外周縁に直立枠部１７”が直角に形成されており、当該直立枠部１７”内に上記ガラス板６が上記ガラスフレーム１７前面に接着された構造を有している。またこのガラスフレーム１７は非常に薄く形成されているため（例えば厚さが７ｍｍ）、各コーナ部にはスチール製のＬ型補強材１７ｅが接着されている（図１０参照）。このような構造のガラスフレーム１７を採用することにより、本発明のガラス板６はそのガラスフレーム１７を含めても厚さが７ｍｍ程度と非常に薄く形成されている。
【００３８】
上記ガラス板６の後面における上記ガラスフレーム１７の上辺１７ａと下片１７ｂとの間における左右端部には、上下方向に補強縦杆２４，２４が上辺１７ａと下片１７ｂとを接続するように固定されている（図５参照）。そして、上記補強縦杆２４，２４の上部には、各々ロック片保持部２３，２３がボルトＢを以って固定されている。
【００３９】
このロック片保持部２３は、長方形状をなす所定厚の板状のものであり、その内部には、円形ロック片２５を保持し得るロック片保持溝２３ａ及び該保持溝２３ａに水平方向に連通し下方に開口する下向開口部２３ｂが設けられている。上記ロック片保持溝２３ａ内には磁性体からなる円形ロック片２５が保持されており、当該ロック片２５は後述のマグネットＭによって当該位置から横方向に移動され、上記下向開口部２３ｂから下方に位置する上記フレーム側溝部材２２の上方開口下向溝２２ｂに落下し、その下半部を該上方開口下向溝２２ｂ内に係合し得るように構成されている（係合状態を図８に示す）。また、上記ロック片保持部２３は上記ガラス板６のガラス面の外周縁よりも内側位置に各々設けられている（図５）。従って、上記ガラス板６の上記方形フレーム４への取り付け状態において、上記ガラス面の前面側及び周縁に上記ロック片保持部２３及びフレーム側溝部材２２の何れもが露出しないように構成されている。上記ロック片保持部２３は、より具体的には、上記ロック片保持溝２３ａと上記下向開口部２３ｂが形成された板状部材と、当該板状部材に接合された方形板とからなり、当該ロック片保持部２３の上記板状部材側を上記補強縦杆２４，２４に固定することにより、上記補強縦杆２４，２４及び上記フレーム１７後面と上記方形板との間の空間に、上記ロック片保持部２３と上記下向開口部２３ｂが連通して形成されている。
【００４０】
よって、上記ガラス板６の左右辺部が上記方形枠１の左右辺に一致するように上記ガラス板６を上記前面１’に密着させ、その状態で、左右の上記ロック片保持部２３，２３の下向開口部２３ｂ，２３ｂが上記フレーム側溝部材２２，２２の上方開口下向溝２２ｂ，２２ｂの上部に位置するように上記ガラス板６の後面（ガラスフレーム１７の後面１７’）を上記方形枠１の前面１’に密着させた状態で、ガラス板６の前面側からマグネットＭによって上記ロック片２５を移動させて上記下向開口部２３ｂから下方の上向開口下向溝２２ｂ内に落下させることにより、上記ロック片２５の下半部を上記上方開口下向溝２２ｂ内に位置させ、これにより上記ガラス板６上部を上記方形フレーム４に固定し得るように構成している。
【００４１】
即ち、図８に示すように、上記ガラス板６の前面側からマグネットＭを上記ロック片保持溝２３ａに対応する位置のガラス面に密着させ、その状態でマグネットＭを矢印Ａ，Ｂ方向に移動させると、上記マグネットＭの磁性力がガラス板６を透過して上記ロック片２５に作用し、上記ロック片２５は上記マグネットＭに磁気的に吸引されて矢印Ａ，Ｂ方向に上記ロック片保持部２３内を移動し、上記下向開口部２３ｂから下方に位置する上方開口下向溝２２ｂ内にその下半部を係合させることができる。このようにすると、上記ロック片２５の下半部は上記は上記フレーム４側の溝部材２２に位置し、上半部は上記ガラス板６側のロック片保持部２３に位置するので、当該ロック片２５により上記ガラス板６を上記フレーム４に固定することができる。
【００４２】
尚、上記ロック片２５による上記固定状態を解除するには、上記マグネットＭを上記矢印Ａ，Ｂとは逆方向に移動させ、上記ロック片２５を上記上方開口下向溝２２ｂから上記ロック片保持部２３のロック片保持溝２３ａに移動させれば良い。
【００４３】
上記ガラス板６の後面の補強縦杆２４，２４の下部には、各々上記方形フレーム４の下部のフック１５，１５が係合する下部溝部材１８，１８が固定されている（図５(ａ)(ｂ)参照）。即ち、上記下部フック１５，１５に対応する上記ガラス板６の後面には、上記フック１５の円形フック部１５ｂが係合し得る円弧形上向溝１８ａを有する下部溝部材１８が固定ボルトＢにて固定されている（図５）。よって、上記下部溝部材１８，１８は、上記フック１５，１５に対応して、上記方形枠１７後面の下部の左右に２個設けられている（図５参照）。また、上記下部溝部材１８は上記ガラス板６のガラス面の周縁よりも内側位置に各々設けられている（図５参照）。従って、上記ガラス板６の上記方形フレーム４への取り付け状態において、上記ガラス面の前面側及び周縁に上記フック１５及び下部溝部材１８の何れもが露出しないように構成されている。
【００４４】
この下部溝部材１８の上記円弧形上向溝１８ａは、上記フック１５の円形フック部１５ｂの鍔部１５ｄが係合し得る上下幅Ｔ１を有しており（図７参照）、従って、上記下部溝部材１８の上向溝１８ａ内に上記フック１５の鍔部１５ｄを係合すると、上記上向溝１８ａの深さ（上下方向幅）Ｔ１に対応するガラス板６の垂直移動（ストローク）により上記上向溝１８ａ内に上記鍔部１５ｄを係合することができる（図７参照）。
【００４５】
また、上記下部溝部材１８は上記方形枠１７の後面１７’に対して奥部方向（後面方向）に突出するように取り付けられている（図２（ｂ））。よって、上記上向溝１８ａは上記後面１７’より後面側に突出して位置するように構成されている（図２（ｂ）、図７参照）。一方、上記フック１５の円錐形フック部１５ｂはその前端１５ｄ’が上記方形枠１の垂直左右辺１ｃ，１ｄの前面１’に一致するように、上記前面１’に面一状態となるようにその前後方向位置が調節される（図２（ｂ）、図７参照）。
【００４６】
よって、上記ガラス板６の方形枠１７の後面１７’を、上記方形フレーム４の上記左右の下部フック１５，１５の鍔部１５ｄ，１５ｄの上方に上記溝部材１８，１８の上向溝１８ａ，１８ａが各々対応するように上記方形枠１の前面１’に宛がい、上記方形枠１７の後面１７’を上記方形枠１の前面１’に密着すると、上記下部溝部材１８の上向溝１８ａが上記方形枠１の前面１’より後方側に入り込み、各上向溝１８ａが丁度上記フック１５の円形フック部１５の上記鍔部１５ｂの上方位置に対応して位置するように構成されている。尚、この状態では、上記ロック片保持部２３，２３は上記フレーム側溝部材２２，２２の直上に位置している。
【００４７】
従って、上記位置からガラス板６の後面を上記前面１’に圧着した状態で、上記ガラス板６を下方にスライドさせることにより（最小スライド量Ｔ１）、上記ロック片保持部２３の下向開口部２３ｂと上記フレーム側溝部材２２の上方開口下向溝２２ｂとを一致させると共に、下部フック１５の各鍔部１５ｄを対応する各上向溝１８ａに挿入係合させることができる（図６（ｂ）、図７参照）。また、かかる状態から、マグネットＭを用いて上記ロック片２５を移動して上記上方開口下向溝２２ｂに上記ロック片２５の下半部を挿入係合してガラス板６の上部を上記フレーム４に固定することができる。
【００４８】
また、上記ガラス板６を上記方形枠１に固定した図６（ｂ）、図７の状態において、上記ガラス板６のガラスフレーム１７の後面１７’はその全周に亘り上記方形枠１の前面１’に密着することになる（図６（ｂ）参照）。よって上記ガラス板６の上記取り付け状態において、ガラス板６の周縁から方形枠１内部に外部の光が入射することを効果的に防止することができる。
【００４９】
本発明は上述のように構成されているので、次に、上記本発明に係る薄型ディスプレイ用のガラス板取付構造を使用したガラス板の取付方法を説明する。
【００５０】
まず、取り付け位置としての方形枠１の上面２と下面３に各々固定板９を面ファスナーで固定する。尚、方形枠１は例えば建物内の壁面に、その前面１’と壁面が面一となるように埋め込まれているものとする。
【００５１】
次に、方形フレーム４を上面２と下面３との間に配置し、上下辺４ａ，４ｂの高さ調整脚８，８の脚部８ａ，８ａを上記固定板９の左右の円形凹部９ａ，９ａ内に挿入し、かかる状態で、上記脚８，８の雄螺子部８ｂ，８ｂを回転させて高さ調整を行い、当該方形フレーム４を上記天井面２と床面３との間に突っ張り状態で立設固定する。
【００５２】
このとき、上部の左右のフック１５の雄螺子部１５ａにより、フレーム側溝部材２２，２２の前面２２’の位置が上記方形枠１の前面１’に面一となるように前後方向の位置調整を行う。また、下部のフック１５の鍔部１５ｄの前端１５ｄ’の位置が上記方形枠１の前面１’に面一となるように、各フック１５の雄螺子部１５ａを回転させることにより、前後方向に位置調整を行う。全てのフック１５の位置調整が終了したら各フック１５のナットＮを締め付けて前後方向位置を固定する。
【００５３】
次に、ガラス板６の表面にガラス吸盤を吸着させて同ガラス板６を持ち上げ、上記ガラス板６の後面を上記方形フレーム４の前面に宛がう。このとき、上記ガラス板６の左右縁部と上記方形枠１の左右縁部を合わせると共に、上記ガラス板６のロック片保持部２３，２３が上記フレーム側溝部２２，２２の直上に位置し、同時に、ガラス板６の下部溝部材１８，１８の上向溝１８ａ，１８ａが上記方形フレーム４の下部の各フック１５の直上に位置するように位置合わせを行い、上記ガラス板６の後面の方形枠１７の後面１７’が上記方形枠１の前面１’に密着するように当該ガラス板６を上記方形枠１に宛がう。
【００５４】
次に、上記ガラス板６を上記方形枠１の前面１’に密着した状態のまま下方にスライドさせることにより、ロック片保持部２３の下部が上記フレーム側溝部材２２の上部に当接し、これによりロック片保持部２３の上記下向開口部２３ｂとフレーム側溝部材２２の上方開口下向溝２２ｂとが一致し、かつ上記各下部溝部材１８の上向溝１８ａ内に上記方形フレーム４の下部のフック１５を各々係合させることができる。このとき、上記フック１５の鍔部１５ｄが上向溝１８ａの深さＴ１分当該上向溝１８ａに入り込むことになるので、上記ガラス板１６の垂直方向の最小ストロークは略Ｔ１に相当する量となる（図７参照）。
【００５５】
その後、図８に示すように、上記ガラス板６の前面側からマグネットＭを上記ロック片保持溝２３ａに対応する位置のガラス面に密着させ、その状態でマグネットＭを矢印Ａ，Ｂ方向に移動させると、上記マグネットＭの磁性力がガラス板を透過して上記ロック片２５に作用し、上記ロック片２５は上記マグネットＭに磁気的に吸引されて矢印Ａ，Ｂ方向に上記ロック片保持部２３内を移動し、上記下向開口部２３ｂから下方に位置する上方開口下向溝２２ｂ内にその下半部を係合させる。すると、上記ロック片２５の下半部は上記は上記フレーム４側の溝部材２２に位置し、上半部は上記ガラス板６側のロック片保持部２３に位置するので、当該ロック片２５により上記ガラス板６を上記フレーム４に固定することができる。
【００５６】
以上の操作により、上記ガラス板６のハーフミラー領域６ａがディスプレイ５に対応して位置すると共に、上記ガラス板６の後面側の周縁部（方形枠１７の後面１７’）を上記方形枠１の前面１’に全周に亘り密着させた状態で上記ガラス板６を上記方形フレーム４の前面側に固定することができる。
図９、図１０に示すものは、ガラス板６の取付構造において、ガラス板６の下部（２箇所）においても上部（２箇所）と同様に、ロック片保持部２３とフレーム側溝部材２２とにより取付構造を構成したものである。このように構成すると、上記ガラス板６の上下４個のロック片保持部２３が上記方形フレーム４の上下４個の上記フレーム側溝部材２２の直上に位置するように上記ガラス板６を上記方形フレーム４の前面に宛がい、上記ガラス板６の前面側からマグネットＭを上記ロック片保持溝２３ａに対応する位置のガラス面に密着させ、その状態でマグネットＭを矢印Ａ，Ｂ方向に移動させ、上記ロック片２５を上記上方開口下向溝２２ｂ内に係合させる、という操作を、上下４箇所のロック片保持部２３各々において行うことで、ガラス板６をその上下方向のストロークなしで上記フレーム４に固定することができる。
【００５７】
図１２に、本発明の取付構造と他の構造との取付時のガラス板６の上下方向のストロークの比較例を示す。同図（ａ）は、ガラス板６の上部と下部の全てをフック１５と溝部材１８との係合構造としたもの、同図（ｂ）は本発明の図１等の上記実施形態であり、ガラス板６の上部側にのみロック片保持部２３とフレーム側溝部材２２により構成し、下部側はフック１５と下部溝部材１８により構成したもの、同図（ｃ）は上記実施形態に対してガラス板６の下部においても上部と同様にロック片保持部２３とフレーム側溝部材２２により構成したもの（図９及び図１０の構造）である。
【００５８】
同図（ａ）の構造では、ガラス板６のストロークは少なくとも溝部材１８の溝１８ａの深さＴ１と同一のストロークＴ１が必要となる。同図（ｂ）の本発明の実施形態の構造では、同図（ｂ）に示すように、ガラス板６の上部においてはガラス板６の上下方向の移動ストロークが必要ないので、ガラス板６の上部を下部に対して若干手前側に倒しながらフレームに接近し、上部を後方に回転しながら取り付けることができるため、上記（ａ）のストロークより若干短いストロークＴ２（＜Ｔ１）での取り付けが実現できる。さらに同図（ｃ）においては、ガラス６を水平移動のみで取り付け可能であり、垂直方向の移動ストロークは必要ないので、上記ガラス板６の面積と略同一の面積からなり、ガラス板６の上下左右に移動スペースが存在しない場合であっても、何ら問題なく、ガラス板６をフレーム４に固定することが可能となる。
【００５９】
本発明は以上のように、方形フレーム４にガラス板６を固定するにあたり、例えばガラス板６の上下位置のスペースが狭く、ガラス板の移動スペースが非常に狭い場所においても支障なくガラス板を取り付けることができる。
【００６０】
また、方形フレーム４にガラス板６を固定するにあたり、ガラス板６の上下方向のスライド量をゼロとすることもでき、例えばガラス板６の上下に移動スペースが非常に狭い場所においても支障なくガラス板を取り付けることができる。
【００６１】
また、ガラス板６の前面側及び周縁にはガラス板６の取付用のフック或いはフレーム等が露出しないので、非常にデザイン性の高い取付構造を実現し得る。
【００６２】
また、ガラス板６の取り外しも極めて容易に行うことができ、薄型ディスプレイ５のメンテナンス性も良好である。
【００６３】
また、ガラス板６の取付け時に、ガラス板６の後面（方形枠１７後面１７’）側の周縁部が上記方形枠１の前面１’に密着するから、ガラス板６の取付け状態において方形枠１内への外光の入射を効果的に防止できる。これにより、ガラス板６前面側から方形枠１内部が透視し難くなり、ガラス板６の前面側の鏡としての機能を向上し得る。
【００６４】
また、ガラス板６の前面側及び周縁にはガラス板の取付用のフック或いはフレーム等が露出しないので、非常にデザイン性の高い取付構造を実現し得る。
【００６５】
また、方形フレーム４の各フック１５の前後方向位置の調整も容易に行うことができる。
【００６６】
また、本発明の取付構造は、薄型ディスプレイの大きさに拘わらず適用することができ、家庭用の小型ディスプレイ（例えば浴室用、洗面所用の鏡の後面にディスプレイを配置する場合等）、或は商業ビルのロビー等に設置する大型ディスプレイ等の何れの場合にも適用が可能である。
【００６７】
また、本発明の取付方法によると、方形枠１にガラス板６を容易に取り付けることができ、しかもガラス板６の取付状態において、ガラス板６の後面（方形枠１７の後面１７’）を方形枠１前面１’に全周に亘り密着させて方形フレーム４内への外光の入射を防止し得るし、ガラス板６の前面側にはなんら取付け用の部材は露出せず、ガラス板６のスライド量も短く或いはゼロとすることができるので、デザイン性、メンテナンス性に極めて優れた取付構造を実現し得る
【産業上の利用可能性】
【００６８】
本発明に係る薄型ディスプレイ用のガラス板の取付構造及び取付方法は、デザイン性及びメンテナンス性に優れているため、商業ビル、オフィスビル、駅構内のロビー等の公共的な施設の大型ディスプレイ用として、或は家庭の浴室、洗面台等の小型ディスプレイ用として、広く適用が可能である。
【符号の説明】
【００６９】
４      方形フレーム
５      薄型ディスプレイユニット
６      ガラス板
６ａ    ハーフミラー領域
１５    フック
１８    下部溝部材
１８ａ  上向溝
２２    フレーム側溝部材
２２ｂ  上方開口下向溝
２３    ロック片保持部
２３ａ  ロック片保持溝
２３ｂ  下向開口部
２５    磁性体ロック片
Ｍ      マグネット
【図１】
2011070181.tif 000003
【図２】
2011070181.tif 000004
【図３】
2011070181.tif 000005
【図４】
2011070181.tif 000006
【図５】
2011070181.tif 000007
【図６】
2011070181.tif 000008
【図７】
2011070181.tif 000009
【図８】
2011070181.tif 000010
【図９】
2011070181.tif 000011
【図１０】
2011070181.tif 000012
【図１１】
2011070181.tif 000013
【図１２】
2011070181.tif 000014